(57)【要約】【課題】  釣り銭として希望する種類の金銭を得ることができるようにする。【解決手段】  投入口部から投入された金銭の額に応じて購入希望金額の媒体を発行するもので、投入された金銭の額と購入希望金額との差額を算出する算出部１５ａと、この算出部１５ａによって差額が算出されるのに基づいて釣り銭を放出する紙幣処理部１３、硬貨処理部１４と、釣り銭の種類を表示する複数の表示操作部を有し、紙幣処理部１３、硬貨処理部１４による釣り銭の放出に際し、表示操作部が選択的に操作されることにより、釣り銭の種類を設定する制御部１５とを具備する。【選択図】      図６
2007080152.tif 000002
【特許請求の範囲】
【請求項１】
投入口部から投入された金銭の額に応じて購入希望金額の媒体を発行するもので、
前記投入された金銭の額と前記購入希望金額との差額を算出する算出手段と、
この算出手段によって差額が算出されるのに基づいて釣り銭を放出する釣り銭放出手段と、
前記釣り銭の種類を表示する複数の表示操作部を有し、前記釣り銭放出手段による釣り銭の放出に際し、前記表示操作部が選択的に操作されることにより、前記釣り銭の種類を設定する種類設定手段と
を具備することを特徴とする媒体発行装置。
【請求項２】
投入口部から投入された金銭の額に応じて購入希望金額の媒体を発行するもので、
前記投入された金銭の額と前記購入希望金額との差額を算出する算出手段と、
この算出手段によって差額が算出されるのに基づいて釣り銭を放出する釣り銭放出手段と、
この釣り銭放出手段による釣り銭の放出に際し、金銭の追加投入が可能であることを表示する表示部と、
この表示部の表示に基づいて前記投入口部から金銭が追加投入されることにより、この追加投入された金銭を前記算出手段によって算出された釣り銭に合算させ、この合算された金額を釣り銭として放出するように制御する制御手段と
を具備することを特徴とする媒体発行装置。
【請求項３】
投入口部から投入された金銭の額に応じて購入希望金額の媒体を発行するもので、
前記投入された金銭の額と前記購入希望金額との差額を算出する算出手段と、
この算出手段によって差額が算出されるのに基づいて釣り銭を放出する釣り銭放出手段と、
前記釣り銭の種類を表示する複数の表示操作部を有し、前記釣り銭放出手段による釣り銭の放出に際し、前記表示操作部が選択的に操作されることにより前記釣り銭の種類を設定する種類設定手段と、
前記釣り銭放出手段による釣り銭の放出に際し、金銭の追加投入が可能であることを表示する表示部と、
この表示部の表示に基づいて前記投入口部から金銭が追加投入されたとき、この追加投入された金銭を前記算出手段によって算出された釣り銭に合算させ、この合算された金額を釣り銭として放出するように制御する制御手段と
を具備することを特徴とする媒体発行装置。
【請求項４】
前記種類設定手段によって種類が設定された釣り銭の枚数を設定する枚数設定手段を有することを特徴とする請求項２または３記載の媒体発行装置。
【請求項５】
前記種類設定手段によって設定される釣り銭の金種が投入された金銭の最大金種よりも大きい場合には、釣り銭の種類設定を不能とすることを特徴とする請求項２または３記載の媒体発行装置。
【発明の詳細な説明】
【技術分野】
【０００１】
本発明は、例えば、駅等で切符、カード、或いは定期券等を発行する券売機として適用される媒体発行装置に関する。
【背景技術】
【０００２】
この種の媒体発行装置には、接客部の紙幣投入口から紙幣を投入させ、或いは、硬貨投入口から硬貨を投入させて、その投入された金額に応じて購入可能な媒体の金額を操作表示ボタンに点灯表示させるものがある。
【０００３】
利用者はこの点灯表示された操作表示ボタンのうち所望する金額を表示する操作表示ボタンを選択して押圧操作する。この押圧操作により発券処理部が動作されて切符やカードなどが発行され、或いは、ＩＣカードヘの積み増し動作等が行なわれる。
【０００４】
ところで、この発券動作時には、投入された金銭の金額と購入される媒体の金額との間に差額が生じ、その差額が釣り銭として放出されることがある。
【０００５】
この釣り銭は、枚数が最も少なくなるような組み合わせで硬貨や紙幣の組み合わせが選択されている（例えば、特許文献１参照。）。
【特許文献１】特許第９２１８２３号公報
【発明の開示】
【発明が解決しようとする課題】
【０００６】
しかしながら、従来においては、釣り銭が、枚数が最も少なくなるような組み合わせで放出されていたため、利用者が特定種類の紙幣や硬貨を希望しても、希望する種類の紙幣や硬貨を得ることができないという不便があった。
【０００７】
また、釣り銭の金額が半端な場合、例えば、釣り銭が７０円の場合には、５０円硬貨１枚と１０円硬貨２枚の合計３枚が放出され、釣り銭の枚数が多くなってしまうという問題がある。
【０００８】
本発明は上記事情に着目してなされたもので、その目的とするところは、釣り銭として希望する種類の金銭を得ることができ、また、釣り銭の枚数を希望する枚数に削減できるようにした媒体発行装置を提供することにある。
【課題を解決するための手段】
【０００９】
上記課題を解決するため、請求項１記載のものは、投入口部から投入された金銭の額に応じて購入希望金額の媒体を発行するもので、前記投入された金銭の額と前記購入希望金額との差額を算出する算出手段と、この算出手段によって差額が算出されるのに基づいて釣り銭を放出する釣り銭放出手段と、前記釣り銭の種類を表示する複数の表示操作部を有し、前記釣り銭放出手段による釣り銭の放出に際し、前記表示操作部が選択的に操作されることにより、前記釣り銭の種類を設定する種類設定手段とを具備する。
【００１０】
請求項２記載のものは、投入口部から投入された金銭の額に応じて購入希望金額の媒体を発行するもので、前記投入された金銭の額と前記購入希望金額との差額を算出する算出手段と、この算出手段によって差額が算出されるのに基づいて釣り銭を放出する釣り銭放出手段と、この釣り銭放出手段による釣り銭の放出に際し、金銭の追加投入が可能であることを表示する表示部と、この表示部の表示に基づいて前記投入口部から金銭が追加投入されることにより、この追加投入された金銭を前記算出手段によって算出された釣り銭に合算させ、この合算された金額を釣り銭として放出するように制御する制御手段とを具備する。
【００１１】
請求項３記載のものは、投入口部から投入された金銭の額に応じて購入希望金額の媒体を発行するもので、前記投入された金銭の額と前記購入希望金額との差額を算出する算出手段と、この算出手段によって差額が算出されるのに基づいて釣り銭を放出する釣り銭放出手段と、前記釣り銭の種類を表示する複数の表示操作部を有し、前記釣り銭放出手段による釣り銭の放出に際し、前記表示操作部が選択的に操作されることにより前記釣り銭の種類を設定する種類設定手段と、前記釣り銭放出手段による釣り銭の放出に際し、金銭の追加投入が可能であることを表示する表示部と、この表示部の表示に基づいて前記投入口部から金銭が追加投入されたとき、この追加投入された金銭を前記算出手段によって算出された釣り銭に合算させ、この合算された金額を釣り銭として放出するように制御する制御手段とを具備する。
【発明の効果】
【００１２】
本発明によれば、所望する種類のつり銭を得ることができ便利であり、また、釣り銭の枚数を少なくすることができ、釣り銭がかさばることがない。
【発明を実施するための最良の形態】
【００１３】
以下、本発明を図面に示す実施の形態を参照して詳細に説明する。  
図１は本発明の一実施の形態である媒体発行装置としての券売機を正面側から示す外観斜視図である。
【００１４】
図中１は券売機本体で、この券売機本体１の正面上部側には接客部２が設けられている。接客部２の下方部には硬貨を投入させる投入口部としての硬貨投入口３、釣り銭硬貨を放出させる硬貨放出口４、及び紙幣を出入させる投入口部としての紙幣出入口５が設けられている。
【００１５】
また、接客部２の下方部にはカードを放出するカード発行口７、及び券を放出する券発行口８が設けられている。
【００１６】
図２は券売機の内部構成を背面側から示す斜視図である。
【００１７】
券売機本体１内にはカード処理部１１、発券処理部１２、釣り銭放出手段としての紙幣処理部１３、釣り銭放出手段としての硬貨処理部１４、及び種類設定手段としての制御部１５が設けられている。
【００１８】
図３は券売機の制御系を示すブロック図である。
【００１９】
制御部１５には制御回路を介して上記した接客部２、カード処理部１１、発券処理部１２、紙幣処理部１３、硬貨処理部１４、さらに、係員操作部１７が接続されている。
【００２０】
上記した係員操作部１７は券売機を扱う係員によって操作されるもので、例えば、締切業務や、エラー解除、さらには、保守員による保守点検時にも利用される。
【００２１】
接客部２は券売機の利用客が切符の購入、カードの購入、定期券の購入、定期券の延期、ＩＣカードヘの積み増し等の動作を行う際に利用される。接客部２には操作ボタン（図示しない）が配設され、この操作ボタンを押圧操作することにより対応した動作が制御部１５を介して行われるようになっている。
【００２２】
発券処理部１２は購入動作に応じて切符を発券するもので、この発券処理時には切符への印字、データの書き込みなどが行なわれる。
【００２３】
紙幣処理部１３及び硬貨処理部１４は制御部１５からの金額の命令により各々紙幣、硬貨の取り込み、または放出を行う。
【００２４】
カード処理部１１は磁気カードの発行、定期券の発行、ＩＣカードの発行、ＩＣカードの積み増し、カードによる切符購入などに利用される。カード投入口７からカードが取り込まれると、ＩＣカードの積み増しや切符購入動作を行ったり、装填してあるカードに印字、データ書き込み処理を行って発行したりする。
【００２５】
図４は接客部２で表示される釣り銭選択を促す画面の例である。
【００２６】
接客部２では釣り銭放出時には、金銭の投入額、媒体の購入額、釣り銭の額が表示されるとともに、釣り銭の取り忘れ注意などの案内が表示される。
【００２７】
また、この画面には、金銭の追加投入ができる旨の案内２１が表示され、さらに、釣り銭の種類を選択できる旨を案内する選択ボタン２２が表示される。
【００２８】
利用者が金銭の追加投入ができる旨の案内２１を見て追加の金銭を投入するか、または、釣り銭の種類を選択する選択ボタン２２を押圧操作すると、接客部２は、図５に示すように釣り銭選択画面２４に切り替わる。この金銭の投入と、選択ボタン２２の押圧操作がなければ、従来と同じ規定どおりの額の金銭が放出される。
【００２９】
図５の銭選択画面２４には釣り銭の種類（千円札、２千円札、５千円札、５００円硬貨、１００円硬貨、５０円硬貨、１０円硬貨）を選択するための表示操作部としての選択ボタン２５ａ〜２５ｇが表示されているとともに、釣り銭の枚数を設定する枚数設定手段としての設定ボタン２６ａ〜２６ｇが表示されている。また、銭選択画面２４には釣り銭の合計金額を表示する表示部２６、さらに、確認ボタン２７、取消ボタン２８が表示されている。
【００３０】
図６は接客部２、紙幣処理部１３、硬貨処理部１４の制御系を示す示すブロック図である。
【００３１】
紙幣処理部１３或いは硬貨処理部１４から追加投入金額情報が制御部１５の算出手段としての釣り銭算出処理部１５ａに送信されると、接客部２に釣り銭の金額情報などが表示される。そして、接客部２で釣り銭選択情報が制御部１５の釣り銭算出処理部１５ａに送信されると、この送信に基づいて紙幣部用の釣り銭放出コマンド（釣り銭金額１０００円単位）、或いは硬貨部用の釣り銭放出コマンド（釣り銭金額１０００円以下）が紙幣処理部１３或いは硬貨処理部１４に送信されて釣り銭が放出されるようになっている。
【００３２】
次に、自動券売機の発券動作を図７に示すフローチャートを参照して説明する。
【００３３】
接客部２は通常時では待機画面になっており（ステップＳＴ１）、切符の購入、カードの購入、ＩＣカードヘの積み増しなどの動作が行なわれるようになっている。紙幣が紙幣投入口５から投入され、また、硬貨が硬貨投入口３から投入されると（ステップＳＴ２）、紙幣処理部１３、硬貨処理部１４でそれぞれ金額の確認が行われる（ステップＳＴ３）。そして、この確認された金額で購入が可能な切符の購入ボタンが点灯表示され（ステップＳＴ４）、この表示された購入ボタンを選択して押圧操作する（ステップＳＴ５）。この購入ボタンの押圧操作により、投入されていた紙幣、硬貨が各々紙幣処理部１３、硬貨処理部１４に取り込まれ、このとき、投入金額が購入金額よりも多いか否か、即ち、釣り銭の有無が判別される（ステップＳＴ６）。釣り銭が無いと判別された場合には、例えば、発券処理部１２が動作されて切符が発券される（ステップＳＴ７）。
【００３４】
釣り銭があると判別された場合には、図４に示すように金銭を追加投入できることと、釣り銭の種類を選択できることなどを促す内容が接客部２に表示される（ステップＳＴ８）。
【００３５】
金銭の追加投入、あるいは釣り銭の選択が行なわれない場合には、発券が準備され（ステップＳＴ９）、ついで、従来と同じように規定の組み合わせで釣り銭が準備されて（ステップＳＴ１０）、切符と釣り銭が放出される（ステップＳＴ１１）。ただし、釣り銭金種が投入した金種の中で最も大きな金額となる金種を超える場合は、受付をしないようにする。
【００３６】
金銭の追加投入が行なわれ（ステップＳＴ１２）、また、釣り銭の種類が選択され（ステップＳＴ１３）た場合には、接客部２は図５に示す画面に切り替わる（ステップＳＴ１４）。この画面を見て釣り銭の種類が選択されると（ステップＳＴ１５）、釣り銭コマンドが送信されて切符、釣り銭が放出される（ステップＳＴ１１）。
【００３７】
また、上記した金銭の追加投入、あるいは釣り銭の選択が行なわれないで状態で所定時間経過すると（ステップＳＴ１７）、釣り銭コマンドが送信されて切符、釣り銭が放出される（ステップＳＴ１１）。
【００３８】
なお、仮に釣り銭選択を選ぶ時のタイムアウト時間として、従来の券売機における釣り銭放出動作での機械動作時間とすると、従来では機械処理の待ち時間として切符、釣り銭放出の案内画面を出していた時間を利用でき、全体の処理時間としては従来券売機と比較しても遅くはならない。
【００３９】
上記したように、この実施の形態によれば、釣り銭の種類を選択する選択ボタン２５ａ〜２５ｇを備えるため、所望する金種の釣り銭を得ることができ、利便性が向上する。
【００４０】
例えば、鉄道からバスに乗り継ぐ際に、バスでは大きな金種が使用できないので前もって小さな金種を用意しておくことができる。
【００４１】
また、釣り銭放出時に金銭を追加投入することができ、釣り銭金額の端数をなくして細かい釣り銭をもらわないように調整することができる。
【００４２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４３】
【図１】本発明の一実施の形態である券売機を示す外観斜視図。
【図２】図１の券売機の内部を背面側から示す斜視図。
【図３】図１の券売機の構成を示すブロック図。
【図４】図１の券売機の接客部の金銭の投入と釣り銭種類の選択を促す画面を示す図。
【図５】図１の券売機の接客部の釣り銭の種類を選択し、枚数を設定するための画面を示す図。
【図６】図１の券売機の制御系を示すブロック図。
【図７】図１の券売機の発券動作を示すフローチャート図。
【符号の説明】
【００４４】
３…硬貨投入口（投入口部）、５…紙幣出入口（投入口部）、１３…紙幣処理部（釣り銭放出手段）、１４…硬貨処理部（釣り銭放出手段）、１５ａ…釣り銭算出処理部（算出手段）、１５…制御部（種類設定手段）、２１…表示部、２５ａ〜２５ｇ…選択ボタン（表示操作部）、２６ａ〜２６ｇ…設定ボタン（枚数設定手段）。
【図１】
2007080152.tif 000003
【図２】
2007080152.tif 000004
【図３】
2007080152.tif 000005
【図４】
2007080152.tif 000006
【図５】
2007080152.tif 000007
【図６】
2007080152.tif 000008
【図７】
2007080152.tif 000009